(57)【特許請求の範囲】
【請求項１】
各住戸に、少なくとも火災感知器、中継器及び住戸用受信機を設けると共に、管理人室等の中央に住棟用受信機を設け、前記火災感知器の火災発報を前記中継器で受信した際に、発報移報信号を前記住戸用受信機及び住棟用受信機の各々に送出して警報報知させる共同住宅用火災報知システムに於いて、
前記各住戸の住戸用受信機を各住戸それぞれの電源供給により動作するように接続すると共に前記各住戸の火災感知器及び中継器を前記住棟用受信機からの電源供給により動作するように接続し、
前記各住戸側に、前記火災感知器が発報した際に予め定めた一定時間火災発報状態が継続するか否かを判断する蓄積処理を行い、該一定時間を越える発報状態の継続を判断した場合に前記住棟用受信機に発報移報信号を送る蓄積処理部を設けたことを特徴とする共同住宅用火災報知システム。
【請求項２】
請求項１記載の共同住宅用火災報知システムに於いて、前記蓄積処理部を各住戸の住戸用受信機に設け、前記中継器から発報移報信号を受信した際に前記蓄積処理部の蓄積動作を開始し、前記一定時間を越える発報状態の継続を判断した場合、前記中継器を経由して前記住棟用受信機に発報移報信号を送ることを特徴とする共同住宅用火災報知システム。
【請求項３】
請求項１記載の共同住宅用火災報知システムに於いて、前記蓄積処理部を各住戸の中継器に設け、前記中継器で火災感知器の発報を受信した際に前記蓄積処理部の蓄積動作を開始し、前記一定時間を越える発報状態の継続を判断した場合、前記住棟用受信機に発報移報信号を送ることを特徴とする共同住宅用火災報知システム。
【請求項４】
請求項２又は３記載の共同住宅用火災報知システムに於いて、前記蓄積処理部は、蓄積処理中に前記住戸用受信機に設けた復旧スイッチの操作による復旧信号を受けた場合には、蓄積処理をリセットすることを特徴とする共同住宅用火災報知システム。
【請求項５】
請求項２又は３記載の共同住宅用火災報知システムに於いて、前記蓄積処理部は、前記住戸用受信機に設けた火災断定スイッチの操作による火災断定信号を受けた場合には、蓄積処理に関係なく直ちに前記住棟用受信機に発報移報信号を送ることを特徴とする共同住宅用火災報知システム。
【請求項６】
請求項２記載の共同住宅用火災報知システムに於いて、前記住戸用受信機に、住戸からの電源供給停止状態で前記中継器に対する蓄積出力信号を有効状態とする蓄積出力部を設け、
前記中継器は、火災感知器の発報により前記住戸用受信機に発報移報信号の送出を行った際に、住戸用受信機に電源供給が行われずに前記蓄積出力部からの蓄積出力信号の有効状態を検出した場合は、直ちに前記住棟用受信機に発報移報信号を送ることを特徴とする共同住宅用火災報知システム。
【請求項７】
請求項３記載の共同住宅用火災報知システムに於いて、前記住戸用受信機に、住戸からの電源供給停止状態で前記中継器に対する蓄積解除信号を有効とする蓄積解除出力部を設け、
前記中継器の蓄積処理部は、火災感知器の発報により前記住戸用受信機に発報移報信号の送出を行った際に、住戸用受信機に電源供給が行われずに前記蓄積解除出力部からの蓄積解除信号の有効状態を検出した場合は、蓄積処理を禁止して直ちに前記住棟用受信機に発報移報信号を送ることを特徴とする共同住宅用火災報知システム。
【請求項８】
請求項１記載の共同住宅用火災報知システムに於いて、前記中継器に対しスプリンクラー消火設備に設けた流水検知装置の動作でオンする圧力スイッチを接続した場合、該圧力スイッチのオンによる流水検知信号を受信した際に、前記住棟用受信機に対し直ちに発報移報信号を送ることを特徴とする共同住宅用火災報知システム。
【請求項９】
請求項１記載の共同住宅用火災報知システムに於いて、更に、各住戸に、インターホン親器とドアホン子器を組み合わせたインターホン設備を設け、前記中継器は、前記火災感知器の発報検出時に前記ドアホン子器に発報移報信号を送り、該発報移報信号を受けた前記ドアホン子器は、前記住棟用受信機との信号線接続によって電源供給を受けている自己の火災表示灯を点灯又は点滅させることを特徴とする共同住宅用火災報知システム。
【請求項１０】
請求項１乃至９のいずれかに記載の共同住宅用火災報知システムに於いて、
前記火災感知器が、火災状態が解消された場合に発報状態を自分自身で解除する自己復旧型火災感知器の場合、
前記蓄積処理部は、該火災感知器の発報検出時に前記蓄積タイマを起動し、該蓄積タイマの動作中に前記火災感知器の発報停止があった場合にはリセットし、該リセットが行われずに発報状態が前記一定時間継続した場合には蓄積出力を行わせることを特徴とする共同住宅用火災報知システム。
【請求項１１】
請求項１乃至９のいずれかに記載の共同住宅用火災報知システムに於いて、
前記火災感知器が、発報状態を保持する自己保持型火災感知器の場合、
前記蓄積処理部は該火災感知器の発報検出時に前記蓄積タイマを起動すると共に前記火災感知器に対する電源供給を一旦遮断して復旧させた後に再度電源を投入し、該電源再投入後、予め定めた一定時間以内に２回目の発報がなかった場合にはリセットし、２回目の発報があった場合には蓄積出力を行うことを特徴とする共同住宅用火災報知システム。
【請求項１２】
請求項１乃至３のいずれかに記載の共同住宅用火災報知システムに於いて、前記住戸用受信機は、前記中継器からの発報移報信号の受信後、一定時間経過してから警報報知する制御部を設けたことを特徴とする共同住宅用火災報知システム。
【請求項１３】
請求項２記載の共同住宅用火災報知システムに於いて、
前記住戸用受信機に、住戸からの電源供給状態で前記中継器に有電圧信号を出力し、住戸からの電源供給の停止状態及び前記中継器に対する蓄積出力信号の送出時に前記有電圧信号を遮断する蓄積出力部を設け、
前記中継器は、火災感知器の発報受信がない状態で、前記有電圧信号が遮断した場合は、前記住戸用受信機の停電等による障害と判断することを特徴とする共同住宅用火災報知システム。
【請求項１４】
請求項１３記載の共同住宅用火災報知システムに於いて、
前記中継器は、火災感知器の発報を受信した時に、前記有電圧信号が遮断している場合は、直ちに前記住棟用受信機に発報移報信号を送り、一方、火災感知器の発報を受信した時に、前記有電圧信号が供給されている場合は、前記住戸用受信機に発報移報信号を送出し、その後、前記有電圧信号の遮断を検出した場合には、前記住棟用受信機に発報移報信号を送ることを特徴とする共同住宅用火災報知システム。
【請求項１５】
請求項１３記載の共同住宅用火災報知システムに於いて、
前記住戸用受信機の蓄積出力部は、信号線を介して前記中継器に設けたフォトカプラの発光素子に有電圧信号を出力して発光駆動し、蓄積出力信号の送出時には前記有電圧信号の信号線に挿入接続したリレー接点を開放して有電圧信号を遮断し、
前記中継器は前記フォトカプラの受光素子の受光出力がなくなった時に前記有電圧信号の遮断を検出することを特徴とする共同住宅用火災報知システム。
【請求項１６】
請求項１３記載の共同住宅用火災報知システムに於いて、前記蓄積処理部は、前記住戸用受信機に設けた火災断定スイッチの操作を検出した際に、前記中継器に出力している有電圧信号を遮断することを特徴とする共同住宅用火災報知システム。
【請求項１７】
請求項１３記載の共同住宅用火災報知システムに於いて、前記蓄積処理部は、前記住戸用受信機と前記中継器を接続する他の信号線の断線を検出した際に、前記中継器に出力している有電圧信号を遮断することを特徴とする共同住宅用火災報知システム。
【請求項１８】
請求項１３記載の共同住宅用火災報知システムに於いて、
前記蓄積処理部は、前記火災感知器の発報による前記中継器からの発報移報信号を受信していない状態で、前記住戸用受信機に設けた火災断定スイッチの操作を検出した際には、該操作検出信号を一定時間保持し、該一定時間内に前記中継器から発報移報信号を受信した場合は、前記中継器に出力している有電圧信号を遮断し、該一定時間内に前記中継器から発報移報信号を受信できない場合は、前記操作検出信号の保持を解除することを特徴とする共同住宅用火災報知システム。
【請求項１９】
請求項１３乃至１８のいずれかに記載の共同住宅用火災報知システムに於いて、  前記中継器に第１蓄積時間を設定した第１蓄積処理部を設けると共に、前記住戸用受信機に第２蓄積時間を設定した第２蓄積処理部を設け、
前記中継器の第１蓄積処理部は、前記火災感知器の発報を受信した際に、蓄積動作を開始して前記第１蓄積時間に亘り発報状態が継続した時に前記住戸用受信機に発報移報信号を送出し、
前記住戸用受信機の第２蓄積処理部は、前記中継器からの発報移報信号を受信した際に、蓄積動作を開始して前記第２蓄積時間に亘り発報状態の継続した場合に、前記中継器を経由して前記住棟用受信機に発報移報信号を送ることを特徴とする共同住宅用火災報知システム。
【請求項２０】
請求項１９記載の共同住宅用火災報知システムに於いて、前記中継器の第１処理部は、前記火災感知器の発報を受信した際に、前記有電圧信号が遮断している場合は、直ちに前記住棟用受信機に発報移報信号を送出すること特徴とする共同住宅用火災報知システム。
【請求項２１】
請求項１３乃至１８のいずれかに記載の共同住宅用火災報知システムに於いて、
前記中継器に第１蓄積時間を設定した第１蓄積処理部を設けると共に、前記住戸用受信機に第２蓄積時間を設定した第２蓄積処理部を設け、
前記中継器の第１蓄積処理部は、前記火災感知器の発報を受信した際に、前記住戸用受信機からの有電圧信号が得られている場合は、蓄積処理を行わず直ちに前記住戸用受信機に発報移報信号を送出し、有電圧信号が遮断している場合は、蓄積動作を開始して前記第１蓄積時間に亘り発報状態が継続した時に、前記住棟用受信機に発報移報信号を送出し、
前記住戸用受信機の第２蓄積処理部は、前記中継器からの発報移報信号を受信した際に、蓄積動作を開始して前記第２蓄積時間に亘り発報状態が継続した時に前記有電圧信号を遮断し、前記中継器を経由して前記住棟用受信機に発報移報信号を送ることを特徴とする共同住宅用火災報知システム。
【請求項２２】
請求項１９乃至２１のいずれかに記載の共同住宅用火災報知システムに於いて、前記中継器の第１蓄積時間は、前記住戸用受信機の第２蓄積時間に対し十分に短い時間に設定したことを特徴とする共同住宅用火災報知システム。
【発明の詳細な説明】
【０００１】
【発明の属する技術分野】
本発明は、住戸毎に火災感知器、中継器、住戸用受信機、及びインターホン設備を設けて個別監視し、中央の管理人室等に住棟用受信機を設けて集中監視する共同住宅用火災報知システムに関する。
【０００２】
【従来の技術】
従来の共同住宅用の火災報知システムにあっては、住戸に設けられた火災感知器が発報すると、住戸内に設置している住宅情報盤（住戸用受信機）やドアホンで警報報知が行われる。同時に住宅情報盤やドアホンを介し直ちに管理人室等の中央に設置された防災情報を集中監視する住棟用受信機に発報信号が送られる。発報信号を受けた住棟用受信機は、例えば出火階及び直上階に設置されている地区ベルを鳴動して火災発生を報知する。
【０００３】
また、最近にあっては、地区ベルに代えて音声による警報システムが求められるようになって来ている。例えば特開平４−３５０８００号のシステムにあっては、火災発生時に管理人室等に設置した住棟用受信機からの発報移報信号の送出による制御で、出火階及び直上階等の警報報知を必要とする住戸に対し、玄関先に設置しているドアホン子器のスピーカを住棟用受信機からの音声警報用の信号線に切り替え「ウーウー、火災が発生しました」等の音声警報を出させている。
【０００４】
同時に住棟用受信機は、警報報知を必要とする各住戸内に設置している住宅情報盤に対しても発報移報信号を送り、住戸内でも警報報知を行わせる。
【０００５】
【発明が解決しようとする課題】
しかしながら、このような従来の共同住宅用火災報知システムにあっては、火災感知器が誤って発報した場合においても、発報移報信号は直ちに中央の住棟用受信機に送られ、警報を必要とする例えば出火階及び直上階の住戸の住宅情報盤での警報報知及びドアホン子器からの音声警報が行われることになるため、周辺の住戸の居住者や関係者等に多大な迷惑をかける可能性がある。
【０００６】
また、通常の住宅情報盤は、各住戸の電源で動作しているため、火災感知器が住宅情報盤に接続され電源を供給されて動作するようなシステムにあっては、住戸が空きになっている等で住戸の電源が切られている場合には、住宅情報盤及び火災感知器は電源の供給を受けることができず、その住戸での火災は全く監視できないという問題があった。
【０００７】
本発明は、このような従来の問題点に鑑みてなされたもので、火災感知器が誤って発報した場合の周辺住戸に対する警報報知を未然に防止すると共に、住戸側で電源が切られていても確実に火災が監視できる共同住宅用火災報知システムを提供することを目的とする。
【０００８】
【課題を解決するための手段】
この目的を達成するため本発明は次のように構成する。まず本発明は、各住戸に、少なくとも火災感知器、中継器及び住戸用受信機を設けると共に、管理人室等の中央に住棟用受信機を設け、火災感知器の火災発報を中継器で受信した際に、発報移報信号を住戸用受信機及び住棟用受信機の各々に送出して警報報知させる共同住宅用火災報知システムを対象とする。
【０００９】
このような共同住宅用火災報知システムにつき本発明にあっては、各住戸の住戸用受信機を各住戸それぞれの電源供給により動作するように接続すると共に各住戸の火災感知器及び中継器を住棟用受信機からの電源供給により動作するように、火災感知器を中継器を介して住棟用受信機に接続したことを特徴とする。このため住戸用受信機への電源供給が停止されていても、火災感知器及び中継器は住棟用受信機からの電源供給で動作しているため、住戸が空きとなって電源を切られていても、その住戸の火災を確実に監視できる。
【００１０】
また各住戸側に、火災感知器が発報した際に予め定めた一定時間発報状態が継続するか否かを判断する蓄積処理を行い、一定時間を越える発報状態の継続を判断した場合に住棟用受信機に発報移報信号を送る蓄積処理部を設けたことを特徴とする。このため、火災感知器が誤って発報しても、蓄積中に火災感知器が復旧するか又は復旧スイッチが操作されると、住棟用受信機に対する発報移報信号の送出は行われず、住棟用受信機からの制御による住戸用受信機での警報報知やドアホン子器からの音声警報が誤って行われることを未然に防止でき、誤報による混乱を防止できる。
【００１１】
更に具体的には、蓄積処理部を各住戸の住戸用受信機に設け、中継器から発報移報信号を受信した際に蓄積処理部の蓄積動作を開始し、一定時間を越える発報状態の継続を判断した場合、中継器を経由して住棟用受信機に発報移報信号を送る。
また蓄積処理部を各住戸の中継器に設けてもよく、この場合は、中継器で火災感知器の発報を受信した際に蓄積処理部の蓄積動作を開始し、一定時間を越える火災状態の継続を判断した場合、住棟用受信機に発報移報信号を送る。
【００１２】
蓄積処理部は、蓄積処理中に住戸用受信機に設けた復旧スイッチの操作による復旧信号を受けた場合には、蓄積処理をリセットする。また蓄積処理部は、住戸用受信機に設けた火災断定スイッチの操作による火災断定信号を受けた場合には、蓄積処理に関係なく直ちに住棟用受信機に発報移報信号を送る。
住戸用受信機に対する電源供給が行われていない場合の蓄積解除処理のため、住戸用受信機に蓄積処理部を設けている場合には、住戸からの電源供給停止状態で中継器に対する蓄積出力信号を有効状態とする蓄積出力部を住戸用受信機に設ける。このため、中継器は、火災感知器の発報により住戸用受信機に発報移報信号の送出を行った際に、住戸用受信機に電源供給が行われずに蓄積出力部からの蓄積出力信号の有効状態を検出した場合は、直ちに住棟用受信機に発報移報信号を送る。
【００１３】
一方、中継器に蓄積処理部を設けている場合には、住戸用受信機に、住戸からの電源供給停止状態で中継器に対する蓄積解除信号を有効とする蓄積解除出力部を設ける。このため中継器の蓄積処理部は、火災感知器の発報により住戸用受信機に発報検出信号の送出を行った際に、住戸用受信機に電源供給が行われずに蓄積解除出力部からの蓄積解除信号の有効状態を検出した場合は、蓄積処理を禁止して直ちに住棟用受信機に発報移報信号を送る。
【００１４】
また中継器に対しスプリンクラー消火設備に設けた流水検知装置の動作でオンする圧力スイッチを接続している場合には、この圧力スイッチのオンによる流水検知信号を受信した際に、住棟用受信機に対し蓄積を行うことなく、直ちに発報移報信号を送る。即ち、スプリンクラー消火設備が動作した場合は、火災に間違いないことから、直ちに発報移報信号を送る。
【００１５】
本発明の共同住宅用火災報知システムは、更に、各住戸に、インターホン親器とドアホン子器を組み合わせたインターホン設備を設けている。この場合、中継器は、火災感知器の発報検出時にドアホン子器に発報移報信号を送り、この発報移報信号を受けたドアホン子器は、住棟用受信機との信号線接続による電源供給を受けている自己の火災表示灯を点灯又は点滅させる。
【００１６】
本発明の蓄積処理部は、火災感知器が自己復旧型か自己保持型かで異なる。火災感知器が、火災状態が解消された場合に発報状態を自分自身で解除する自己復旧型火災感知器の場合、蓄積処理部は、火災感知器の発報検出時に蓄積タイマを起動し、蓄積タイマの動作中に火災感知器の発報停止があった場合にはリセットし、リセットが行われずに発報状態が一定時間継続した場合には蓄積出力を行わせる。
【００１７】
これに対し火災感知器が発報状態を保持する自己保持型火災感知器の場合、蓄積処理部は、火災感知器の発報検出時に蓄積タイマを起動すると共に火災感知器に対する電源供給を一旦遮断して復旧させた後に再度電源を投入し、電源再投入後の予め定めた一定時間以内に２回目の発報がなかった場合にはリセットし、あった場合には蓄積出力を行う。
【００１８】
また住戸用受信機は、中継器からの発報移報信号の受信後、所定時間経過してから音声警報等で警報報知する制御部を設ける。
本発明の共同住宅用火災報知システムの別の形態にあっては、住戸用受信機に設けた蓄積出力部から、住戸の電源供給状態で中継器に有電圧信号を出力し、住戸の電源供給の停止状態及び中継器に対する蓄積出力信号の送出時に有電圧信号を遮断する。このため中継器は、火災感知器の発報受信がない定常監視状態で、有電圧信号が遮断した場合は、住戸用受信機側の停電等による障害と判断することになる。
【００１９】
中継器は、火災感知器の発報を受信した時に、住戸用受信機からの有電圧信号が遮断している場合は、直ちに住棟用受信機に発報移報信号を送り、一方、火災感知器の発報を受信した時に、有電圧信号が供給されている場合は、住戸用受信機に発報移報信号を送出し、その後、有電圧信号の遮断を検出した場合には、住棟用受信機に発報移報信号を送ることになる。
【００２０】
この有電圧信号の具体例としては、住戸用受信機の蓄積出力部は、信号線を介して中継器に設けたフォトカプラの発光素子に有電圧信号を出力して発光駆動し、蓄積出力信号の送出時には有電圧信号の信号線に挿入接続したリレー接点を開放して有電圧信号を遮断し、中継器は前記フォトカプラの受光素子の受光出力がなくなった時に有電圧信号の遮断を検出する。
【００２１】
また蓄積処理部は、住戸用受信機に設けた火災断定スイッチの操作による火災断定信号を受けた際にも中継器に出力している有電圧信号を遮断する。
また蓄積処理部は、火災感知器の発報による中継器からの発報移報信号を受信していない状態で、住戸用受信機に設けた火災断定スイッチの操作を検出した際には、この操作検出信号を一定時間保持し、一定時間内に中継器から発報移報信号を受信した場合は、中継器に出力している有電圧信号を遮断し、一定時間内に中継器から発報移報信号を受信できない場合は、操作検出信号の保持を解除する。
【００２２】
更に蓄積処理部は、住戸用受信機と中継器を接続する他の信号線の断線を検出した際にも、中継器に出力している有電圧信号を遮断する。このような住戸用受信機から中継器への有電圧信号の伝送により、中継器側で住戸用受信機の停電や信号線の断線を確実に検出することができる。
このように本発明は中継器側で住戸用受信機の停電や断線等の障害が検出できることで、次のような中継器と住戸用受信機に蓄積機能を分散させた蓄積処理ができる。
【００２３】
この分散蓄積処理は、中継器に第１蓄積時間Ｔ１を設定した第１蓄積処理部  （第１蓄積タイマ）を設け、住戸用受信機に第２蓄積時間Ｔ２を設定した第２蓄積処理部（第２蓄積タイマ）を設ける。中継器の第１蓄積処理部は、火災感知器の発報を受信した際に、蓄積動作を開始して第１蓄積時間Ｔ１に亘り発報状態が継続した時に住戸用受信機に発報移報信号を送出する。
【００２４】
このとき住戸用受信機の第２蓄積処理部は、中継器からの発報移報信号を受信した際に蓄積動作を開始し、第２蓄積時間Ｔ２に亘り発報状態が継続した場合に、中継器を経由して住棟用受信機に発報移報信号を送る。このため火災感知器が誤って発報しても、中継器で第１段階の蓄積が行われるため、住戸用受信機での誤報を未然に防止できる。
【００２５】
また中継器の第１処理部は、火災感知器の発報を受信した際に、有電圧信号が遮断している場合は、直ちに住棟用受信機に発報移報信号を送出する。
分散蓄積処理の別の形態にあっては、中継器の第１蓄積処理部は、火災感知器の発報を受信した際に、住戸用受信機からの有電圧信号が得られている場合（正常時）は、蓄積処理を行わずに直ちに住戸用受信機に発報移報信号を送出し、有電圧信号が遮断している場合は、蓄積動作を開始して第１蓄積時間Ｔ１に亘り発報状態が継続した時に、住棟用受信機に発報移報信号を送出する。
【００２６】
この場合、住戸用受信機の第２蓄積処理部は、最初の形態と同様に、中継器からの発報移報信号を受信した際に蓄積動作を開始し、第２蓄積時間Ｔ２に亘り発報状態が継続した時に有電圧信号を遮断し、中継器を経由して住棟用受信機に発報移報信号を送る。
この形態では、住戸用受信機に停電や断線等の障害があっても、火災感知器の発報受信に対し中継器で蓄積を行った後に、住棟用受信機に発報移報信号を送出するため、火災感知器の誤動作によって住棟用受信機で誤警報が出されてしまうことを確実に防止できる。
【００２７】
ここで中継器の第１蓄積時間Ｔ１は、住戸用受信機の第２蓄積時間Ｔ２に対し十分に短い時間とする。
【００２８】
【発明の実施の形態】
図１は本発明の共同住宅用火災報知システムのシステム構成図である。
図１において、共同住宅の各住戸には、例えば住戸１Ａに代表して示すように、インターホン親器２、住戸用受信機３、ドアホン子器４、中継器５及び火災感知器６が設けられる。インターホン親器２とドアホン子器４はインターホン設備であり、インターホン親器２は住戸用受信機３と隣接して又は同一筐体内に設けられている。
【００２９】
またドアホン子器４は住戸の玄関先に設置されており、呼出釦を押すことでインターホン親器２との間で通話ができる。火災感知器６は中継器５からの電源兼用信号線に接続されており、火災を検出して発報すると、この発報が中継器５で受信され、住戸用受信機３に発報移報信号が送られて、火災の音声警報と警報表示が行われる。
【００３０】
また住戸用受信機３には、この実施形態にあってはスピーカが設けらており、音声合成により火災発生を音声警報することができる。このような住戸１Ａ，１Ｂ側のユニットに対し、管理人室などの中央側には各住戸を集中監視するための住棟用受信機７が設置されている。住棟用受信機７からは、住戸１Ａ，１Ｂ側に対し火報用信号回線９、制御用信号回線１０及び音声警報用信号回線１１が引き出されている。火報用信号回線９に対しては、住戸１Ａ，１Ｂの中継器５が接続される。また制御用信号回線１０には各住戸のドアホン子器４が接続される。更に音声警報用信号回線１１には同じく各住戸のドアホン子器４が接続される。また住棟用受信機７からの火報用信号回線９、制御用信号回線１０及び音声警報用信号回線１１に対しては、総合盤８が接続される。総合盤８には火災発信機、音声警報用のスピーカ及び表示灯が設けられている。
【００３１】
このような共同住宅用火災報知システムにおいて、本発明にあっては、住棟用受信機７の電源部から火報用信号回線９によって住戸１Ａ，１Ｂに設けている中継器５及び、中継器５に接続した火災感知器６に対し、電源供給を行っている。更に、住戸１Ａ，１Ｂに設けているドアホン子器４の火災表示部に対しても、住棟用受信機７側から電源供給を行っている。これに対しインターホン親器２、住戸用受信機３及びドアホン子器４の火災表示部以外の部分に対しては、住戸１Ａ，１Ｂのそれぞれにおいて電源供給が行われている。
【００３２】
更に住戸１Ａ，１Ｂ側の住戸用受信機３または中継器５には、蓄積処理部が設けられている。このため火災感知器６が発報しても直ちに住棟用受信機７に発報移報信号が送られず、予め定めた一定の蓄積時間継続して発報状態が続いたときに初めて、住棟用受信機７に対し発報移報信号が送られることになる。
図２は図１のシステム構成における本発明の第１実施形態であり、蓄積処理部を住戸用受信機３側に設けたことを特徴とする。
【００３３】
図２において、まず中継器５には受信部１２が設けられ、受信部１２から引き出された感知器回線に火災感知器６を接続しており、感知器回線の終端には終端抵抗Ｒを接続している。火災感知器６は、この実施形態にあっては、発報後に火災状態がなくなると復旧する自己復帰型の火災感知器を使用している。また中継器５には制御部１４が設けられる。
【００３４】
制御部１４に対しては、トランジスタＱ１により動作する受信リレーＬ１が接続され、またトランジスタＱ２により動作する移報リレーＬ２が接続されている。受信リレーＬ１はリレー接点ｌ１を有し、このリレー接点ｌ１は住戸用受信機３側に接続される。
移報リレーＬ２はリレー接点ｌ２を有し、リレー接点ｌ２は住棟用受信機７側に接続される。即ち、リレー接点Ｌ１は、その接点を閉じることにより住戸用受信機３に発報移報信号を出力する。またリレー接点ｌ２は、接点を閉じることにより住棟用受信機７に対し発報移報信号を出力する。
【００３５】
制御部１４は、受信部１２で火災感知器６の発報を受信したときの発報検出信号を受けると、トランジスタＱ１のオンにより受信リレーＬ１を作動してリレー接点ｌ１を閉じることにより、住戸用受信機３に対し発報移報信号を送出する。同時に制御部１４はドアホン子器４側に発報移報信号Ｅ３を送出して火災表示を行わせる。
【００３６】
また制御部１４は火災感知器６の発報を検出した後に、住戸用受信機３における蓄積処理に基づいた蓄積出力信号Ｅ１を受けたときに、トランジスタＱ２のオンにより移報リレーＬ２を動作し、リレー接点ｌ２を閉じることで住棟用受信機７に対し蓄積処理に基づいた発報移報信号を送出する。また住戸用受信機３側から火災断定信号Ｅ４を受けると、強制的に移報リレーＬ２を作動させ直ちに住棟用受信機７に対し発報移報信号を送出する。
【００３７】
住戸用受信機３には制御部１５が設けられ、制御部１５には蓄積処理部として機能する蓄積タイマ１６が内蔵されている。制御部１５に対しては、火災灯１７、復旧スイッチ１８、火災断定スイッチ１９が接続される。更に制御用のリレーとしてトランジスタＱ３，Ｑ４，Ｑ５によりオンオフされるスピーカ切替リレーＭ、蓄積出力リレーＮ、及び火災断定リレーＡを接続している。
【００３８】
蓄積出力リレーＮは、切替リレー接点ｎを有し、トランジスタＱ４と共に蓄積出力回路を構成する。蓄積出力リレーＮは、住戸用受信機３が住戸のブレーカ等からＡＣ１００Ｖの供給を受けた動作状態におけるトランジスタＱ４のオンにより作動状態に置かれている。蓄積出力リレーＮの切替リレー接点ｎは、中継器５に設けた受信リレーＬ１のリレー接点ｌ１を切替接片に接続し、切替端子ａ側を制御部１５に接続し、切替端子ｂ側を中継器５の制御部１４に対する蓄積出力信号Ｅ１の信号ラインとして接続している。
【００３９】
蓄積出力リレーＮは、住戸用受信機３に対するＡＣ１００Ｖの電源が切られている場合には、蓄積タイマ１６のタイムアップによる蓄積出力時と同様、非作動状態となって切替リレー接点ｎをｂ側に切り替え、蓄積出力信号Ｅ１の有効状態を作り出している。このため住戸用受信機３の電源が切られている場合、中継器５の制御部１４は、受信リレーＬ１のリレー接点ｌ１を閉じると、直ちに蓄積出力信号Ｅ１を受けたと同じ動作状態となる。
【００４０】
蓄積出力リレーＮは、電源が正常に供給された定常監視状態において、トランジスタＱ４のオンにより作動状態にあることから、切替リレー接点ｎを図示のようにａ側に切り替え、中継器５のリレー接点ｌ１を制御部１５に接続している。このため中継器５において火災感知器６の発報検出による受信リレーＬ１の動作が行われると、リレー接点ｌ１が閉じることで切替リレー接点ａを介して住戸用受信機３の制御部１５に発報移報信号が送られる。
【００４１】
具体的には、リレー接点ｌ１が閉じることで制御部１５のポートは、切替リレー接点ｎ，リレー接点ｌを介してＬレベルに引き込まれ、これによって制御部１５は中継器５からの発報移報信号を受信する。制御部１５は中継器５からの発報移報信号を受信すると、蓄積タイマ１６を起動する。蓄積タイマ１６には、例えば２〜５分の範囲について予め一定の蓄積時間が設定されている。
【００４２】
一度起動した蓄積タイマ１６は、蓄積中に中継器５からの発報移報信号が断たれると、即ち受信リレーＬ１が復旧してリレー接点ｌ１が開くと、蓄積動作を停止してタイマリセットとなる。蓄積中の蓄積タイマ１６のリセットは、制御部１５に接続している復旧スイッチ１８をオン操作した場合、火災断定スイッチ１９をオン操作した場合にも同様に行われる。
【００４３】
制御部１５は、蓄積タイマ１６の起動後に、予め設定した蓄積時間を超えて発報移報信号の入力が続くと、蓄積時間に達したときに蓄積タイマ１６がタイムアップし、トランジスタＱ４をオフすることで蓄積出力リレーＮを復旧させる。この蓄積出力リレーＮの復旧により、切替リレー接点ｎはｂ側に切り替わる。このとき中継器５のリレー接点ｌ１は閉じていることから、制御部１４の蓄積出力信号Ｅ１の入力ポートは、切替リレー接点ｎ、リレー接点ｌ１を通って接地されることでＬレベルに引き込まれ、中継器５の制御部１４は蓄積出力信号Ｅ１の出力を認識する。
【００４４】
火災断定リレーＡは、蓄積タイマ１６の蓄積に関係なく住戸用受信機３で火災断定スイッチ１９がオン操作された場合にトランジスタＱ５のオンにより作動され、リレー接点ａ１を閉じて中継器５の制御部１４に対する火災断定信号Ｅ４の信号ラインをＬレベルに引き込むことで、制御部１４に火災断定を認識させる。制御部１４は、火災断定信号Ｅ４を認識すると、直ちに移報リレーＬ２を作動して住棟用受信機７に対し発報移報信号を送ることになる。
【００４５】
また住戸用受信機３で復旧スイッチ１８をオン操作した場合には、制御部１５は、蓄積タイマ１６のリセット、蓄積出力リレーＮの作動を含む定常監視状態への復旧処理を行わせる。
更に住戸用受信機３には、音声警報を行うために音声合成部２０、アンプ２１、トランス２２及びスピーカ２３が設けられている。スピーカ２３は、スピーカ切替リレーＭの切替リレー接点ｍ１，ｍ２により住戸側と住棟用受信機７側との各音声信号回線に対し選択的に切替接続される。即ち、定常監視状態にあっては、トランジスタＱ３のオフによりスピーカ切替リレーＭは非作動状態にあり、その切替リレー接点ｍ１，ｍ２は図示のように住棟用受信機７からの音声信号回線となるａ側に切り替わっている。
【００４６】
制御部１５で中継器５から発報移報信号を受信すると、トランジスタＱ３のオンによりスピーカ切替リレーＭが作動し、切替リレー接点ｍ１，ｍ２がｂ側に切り替わり、トランス２２からの音声信号回線にスピーカ２３を接続する。この切替接続により、音声合成部２０の起動で出力された音声信号がアンプ２１及びトランス２２を介してスピーカ２３に供給され、音声メッセージ警報を出すことができる。
【００４７】
スピーカ切替リレーＭは、更に切替リレー接点ｍ３，ｍ４を有する。この切替リレー接点ｍ３，ｍ４は、発報移報信号の受信時にドアホン子器４をインターホン親器２から切り離し、音声合成部２０からの音声信号をドアホン子器４に設けているスピーカ３０に送って、音声メッセージ警報をドアホン子器４から出せるようにしている。更に住戸用受信機３には電源部２４が設けられ、ＡＣ１００Ｖの供給を受けて規定の直流電源電圧Ｖｃを各回路部に供給している。
【００４８】
ドアホン子器４は、表示回路２５とドアホン回路２７を有する。表示回路２５は火災灯２６を点灯して警報表示するもので、住棟用受信機７からの火報用信号回線９の電源線である２４Ｖ電源線とコモン線Ｃを接続している。更に中継器５の制御部１４からの発報移報信号Ｅ３の出力ラインを接続している。このため、中継器５の制御部１４での発報検出に基づく発報移報信号Ｅ３を受けると表示回路２５で火災灯２６を点灯又は点滅して警報表示する。
【００４９】
ドアホン回路２７には、呼出スイッチ２８、マイク２９及びスピーカ３０が接続される。スピーカ３０は、ドアホン子器４に設けている音声入力制御リレーＫの切替リレー接点ｋ３，ｋ４によりドアホン回路２７側と住棟用受信機７側とに切り替えられる。
住棟用受信機７からの音声警報用信号回線１１の接続ラインには、音声入力制御リレーＫのリレー接点ｋ１，ｋ２が挿入接続されている。リレー接点ｋ１，ｋ２の二次側にはトランス３１が接続され、トランス３１の一次側より分岐した音声警報用信号回線を住戸用受信機３のスピーカ２３側に接続している。トランス３１の二次側は切替リレー接点ｋ３，ｋ４のｂ側に接続される。
【００５０】
音声入力制御リレーＫは、住棟用受信機７で中継器５から発報移報信号を受けたときの制御で選択的にオンされる。音声入力制御リレーＫがオンするとリレー接点ｋ１，ｋ２が閉じ、住棟用受信機７からの音声信号を入力することができる。同時に切替リレー接点ｋ３，ｋ４は図示のａ側からｂ側に切り替わり、ドアホン子器４のスピーカ３０をドアホン回路２７から切り離してトランス３１の二次側に接続し、住棟用受信機７からの音声信号による音声メッセージ警報の出力可能状態となる。
【００５１】
次に住棟用受信機７を説明する。住棟用受信機７には受信部３２が設けられ、住戸側の中継器５からの蓄積処理に基づいた発報移報信号、即ち移報リレーＬ２の作動によるリレー接点ｌ２のオンによる発報移報信号を受信して、制御部３３に受信出力を生ずる。ここで住棟用受信機７の受信部３２は、図示の住戸の中継器５に対応した１つを示しているが、例えば階別に複数の受信部３２が設けられ、各受信部３２から引き出された回線にその階の住戸の中継器５が複数接続される。このため制御部３３は受信部３２の受信出力により、どの階の住戸から発報移報信号が送られてきたかを判別することができる。
【００５２】
制御部３３には、住棟用受信機７で監視している監視区域の数、例えば階別監視の場合は階数ｎに対応して、制御リレーＴ１，Ｔ２，・・・，ＴｎがトランジスタＱ11，Ｑ12，・・・，Ｑ1nによりオン、オフできるように設けている。この制御リレーＴ１〜Ｔｎに対応して必要な住戸に対し住棟用受信機７から音声警報を行わせるため、マトリクス回路３６を設けている。
【００５３】
マトリクス回路３６は、階数ｎに対応して階別の制御線Ｂ１，Ｂ２，・・・，Ｂｎを備えた制御用信号回線１０と接続され、制御線Ｂ１〜ＢｎごとにダイオードＤ１〜Ｄｎと制御リレーＴ１〜Ｔｎのリレー接点ｔ１〜ｔn の直列回路を備えている。このため住戸のいずれかで火災感知器６が発報して住棟用受信機７でその発報移報信号が受信されると、制御部３３で対応する制御リレー、例えば１階で発報があったと判別した場合には、制御リレーＴ１をオンし、マトリクス回路３６のリレー接点ｔ１を閉じ、ダイオードＤ１を介して制御線Ｂ１により制御電圧を１階の全住戸のドアホン子器４の音声入力制御リレーＫに供給して作動させる。
【００５４】
更にマトリクス回路３６にあっては、例えば火災発生階の直上階に対応した制御線Ｂ２に対し、リレー接点ｔ１の出力側をダイオードＤ12を介して接続している。これによってリレー接点ｔ１のオンにより発報した１階に加え、その直上階となる２階の制御線Ｂ２に対しても制御電圧を出力して、２階の全住戸に設けているドアホン子器４の音声入力制御リレーＫを作動することができる。
【００５５】
更に住棟用受信機７には、音声合成部３４及びパワーアンプ３５が設けられる。音声合成部３４は、制御部３３で住戸側から発報移報信号の受信出力が得られたときに起動され、例えば１階で火災が発生した旨の音声メッセージを合成し、パワーアンプ３５により音声信号を増幅して音声警報用信号回線１１を介して住戸側に音声信号を送る。このとき住戸側のマトリスク回路３６を介して制御線により制御電圧を受けたドアホン子器４にあっては、音声入力制御リレーＫの作動でリレー接点ｋ１，ｋ２が閉じており、また切替リレー接点ｋ３，ｋ４がｂ側に切り替わっているため、住棟用受信機７からの音声信号はドアホン子器のスピーカ３０と住戸用受信機３のスピーカ２３のそれぞれに供給され、音声メッセージ警報を出すことができる。
【００５６】
更に住棟用受信機７には電源部３７が設けられ、ＡＣ１００Ｖから規定の直流電源電圧Ｖｃを作り出している。この電源電圧Ｖｃに基づき、住棟用受信機７から引き出された火報用信号回線９の＋２４Ｖ電源線とコモン線Ｃによって住戸側の中継器５に対する電源供給が行われている。即ち、中継器５の受信部１２を介して火災感知器６が住棟用受信機７からの電源ラインに接続され、住棟用受信機７からの電源供給で動作する。
【００５７】
もちろん、中継器５に設けている受信部１２、制御部１４やトランジスタＱ１，Ｑ２、更にはリレーＬ１，Ｌ２についても同様に、住棟用受信機７からの電源供給で動作する。更にドアホン子器４に設けている表示回路２５、火災灯２６及びリレーＫについても、住棟用受信機７からの電源供給で動作する。
廊下等の共用部に設けられる総合盤８にはリレーＶが設けられており、マトリクス回路３６におけるリレー接点ｔ１のオンにより電源供給を受けて動作し、トランス３９を介して接続しているスピーカ３８に対しリレー接点ｖ１，ｖ２をオンすることで、住棟用受信機７の音声合成部３４より出力された音声信号を供給して、総合盤８からも音声メッセージ警報ができるようにしている。
【００５８】
次に図２の実施形態の動作を説明する。例えば１階の住戸に設けてある火災感知器６が発報すると、中継器５の受信部１２で発報が検出され、発報検出信号が制御部１４に出力される。発報検出信号を受けた制御部１４は、受信リレーＬ１を駆動してリレー接点ｌ１を閉じ、発報移報信号を住戸用受信機３の制御部１５に送る。このとき制御部１４はドアホン子器４の表示回路２５に対しても発報移報信号Ｅ３を出力し、ドアホン子器４に設けている火災灯２６を点灯又は点滅させる。
【００５９】
住戸用受信機３の制御部１５は、中継器５からの発報移報信号を受けると火災灯１７を点灯し、スピーカ切替リレーＭを作動して切替リレー接点ｍ１，ｍ２をｂ側としてスピーカ２３を住戸用受信機３側に切り替え、また切替リレー接点ｍ３，ｍ４をｂ側に切り替えて、ドアホン子器４のスピーカ３０を住戸用受信機３側に切り替える。
【００６０】
そして音声合成部２０を起動し、音声メッセージとして例えば「感知器が発報しました。確認してください。誤報の場合は復旧スイッチを押してください。」を住戸用受信機３のスピーカ２３とドアホン子器４のスピーカ３０から出力させる。更に制御部１５は、中継器５からの発報移報信号を受けた際に蓄積タイマ１６をスタートさせる。
【００６１】
蓄積タイマ１６の動作中、即ちカウント中に火災感知器６が復旧した場合、即ち受信リレーＬ１の駆動が停止されてリレー接点ｌ１が開いた場合、または復旧スイッチ１８が操作された場合には、復旧処理を行う。この復旧処理は、住戸用受信機３の火災灯１７を消灯し、スピーカ切替リレーＭを非作動として復旧させ、更に音声合成部２０による動作を停止させ、更にまた蓄積タイマ１６のタイマリセットを行う。
【００６２】
蓄積タイマ１６がタイムアップすると、制御部１５は定常監視状態で作動状態にある蓄積出力リレーＮの作動を停止し、その切替リレー接点ｎをｂ側に切り替える。切替リレー接点ｎがｂ側に切り替わると、中継器５の制御部１４に対する蓄積出力信号Ｅ１がＬレベルに引き込まれて有効となり、この蓄積出力信号Ｅ１が供給されるポートのＨレベルからＬレベルへの切替わりを制御部１４が検出すると、移報リレーＬ２を作動してリレー接点ｌ２を閉じる。リレー接点ｌ２が閉じると、住棟用受信機７から引き出された火報用信号回線９のＬ，Ｃ間が短絡状態となり、発報移報信号が住棟用受信機７に送られる。
【００６３】
住棟用受信機７の受信部３２は、中継器５からの発報移報信号を受けて制御部３３に出力する。制御部３３は発報移報信号を受けた受信部３２の回線から出火住戸の属する出火階を判別し、必要箇所、例えば出火階及び直上階に対して警報を行うために、例えば出火階が１階であった場合には１階と２階の住戸に対し警報を行うため、制御リレーＴ１を作動する。
【００６４】
このためマトリクス回路３６のリレー接点ｔ１が閉じ、１階の制御線Ｂ１と２階の制御線Ｂ２に制御電圧が供給されることで、ドアホン子器４に設けている音声入力制御リレーＫが作動し、リレー接点ｋ１，ｋ２が閉じると同時に切替リレー接点ｋ３，ｋ４がｂ側に切り替わり、ドアホン子器４のスピーカ３０が住棟用受信機７からの音声警報用信号回線１１に接続される。
【００６５】
ここで火災感知器６が発報していない住戸にあっては、住戸用受信機３のスピーカ切替リレーＭは非作動であることから、切替リレー接点ｍ１，ｍ２は図示のように住棟用受信機７側に切り替わっている。また火災感知器６が発報した住戸にあっては、スピーカ切替リレーＭの作動で切替リレー接点ｍ１，ｍ２はスピーカ２３を住戸用受信機３側に切り替えているが、マトリクス回路３６により音声入力制御リレーＫが作動されると、ドアホン子器４のスピーカ３０は住棟用受信機７側に切り替わる。
【００６６】
このため住棟用受信機７の制御部３３が音声合成部３４を起動し、出火階例えば１階で火災が発生した旨の音声メッセージを合成し、パワーアンプ３５を介して出力すると、１，２階の出火住戸を除く各住戸の住戸用受信機３のスピーカ２３と火災発生住戸を含む１，２階の全住戸のドアホン子器４のスピーカ３０のそれぞれに対し住棟用受信機７からの音声信号が供給され、音声メッセージ「ウーウー、火事です。火事です。１階で火災が発生しました。安全を確認して避難してください。」が警報報知される。また１，２階の共用部に設けられる総合盤８のスピーカ３８からも同様に音声メッセージ警報が出されるようになる。
【００６７】
次に住戸用受信機３にＡＣ１００Ｖの電源が供給されていない場合の動作を説明する。住戸用受信機３にＡＣ１００Ｖの電源が供給されていない場合には、住戸用受信機３の全回路は停止状態となり、蓄積出力リレーＮの切替リレー接点ｎは非作動状態でｂ側に切り替わり、火災感知器６の発報時の中継器５の受信リレーＬ１によるリレー接点ｌ１のオンで制御部１４に対する蓄積出力信号Ｅ１をＬレベルに引き込み可能としている。
【００６８】
このため火災感知器６が発報すると中継器５のリレー接点ｌ１が閉じ、このとき切替リレー接点ｎはｂ側に切り替わっていることから、制御部１４に対する蓄積出力信号Ｅ１は蓄積出力を示すＬレベルとなり、制御部１４は住戸用受信機３における蓄積終了後の蓄積出力状態と判断し、移報リレーＬ２を作動してリレー接点ｌ２を閉じることで、住棟用受信機７に対し発報移報信号を送出する。
【００６９】
即ち、火災感知器６が発報すると中継器５は直ちに発報移報信号を住棟用受信機７に送ることができ、必要箇所、例えば火災発生階及び直上階に対する音声警報を行うことができる。このため住戸が空となって住戸用受信機３に対するＡＣ１００Ｖの電源が断たれていても、その住戸での火災を確実に監視することができる。
【００７０】
また火災感知器６が発報した住戸のドアホン子器４の火災灯２０は、住棟用受信機７からの電源供給を受けているため、発報移報信号Ｅ３を受けると点灯又は点滅する。従って、発報があった住戸を外部から確認することができる。
図３は本発明の共同住宅用火災報知システムの第２実施形態であり、この第２実施形態にあっては、住戸の中継器５に蓄積処理部を設けたことを特徴とする。
【００７１】
図３において、中継器５の制御部１４には蓄積処理部として機能する蓄積タイマ４０が設けられる。蓄積タイマ４０は、火災感知器６の発報による受信部１２からの発報検出信号を受けた時にスタートし、予め定めた一定時間継続して発報検出信号が維持されるとタイムアップし、移報リレーＬ２を作動し、リレー接点ｌ２を閉じて、住棟用受信機７に対し発報移報信号を送るようにしている。
【００７２】
中継器５の制御部１４に蓄積タイマ４０を設けたことに伴い、住戸用受信機３にはトランジスタＱ６により駆動される復旧リレーＢが新たに設けられる。復旧リレーＢはリレー接点ｂ１を有し、中継器５の制御部１４に対し復旧信号Ｅ５を出力する。復旧リレーＢは住戸用受信機３の制御部１５に設けている復旧スイッチ１８をオンした時に作動してリレー接点ｂ１を閉じ、制御部１４からの復旧信号ラインをＬレベルに引き込むことで、復旧信号Ｅ５の出力状態を作り出す。
【００７３】
復旧信号Ｅ５を受けた制御部１４は、受信リレーＬ１の作動停止、蓄積タイマ４０のクリア、ドアホン子器４の火災灯２６の消灯制御を行う。
更に、住戸用受信機３の火災断定スイッチ１９を操作した場合には、火災断定リレーＡがオンしてリレー接点ａ１が閉じ、蓄積タイマ４０の蓄積動作に関わらず移報リレーＬ２を作動し、リレー接点ｌ２をオンして住棟用受信機７に発報移報信号を送ることになる。このとき蓄積中にあっては、蓄積タイマ４０のリセットを行うようにしてもよい。
【００７４】
更に住戸用受信機３にＡＣ１００Ｖの電源が供給されていない場合には、リレーＮの非作動により切替リレー接点ｎがｂ側に閉じ、中継器５の制御部１４の蓄積タイマ４０に対する蓄積解除信号Ｅ６の出力を可能とする。この状態で火災感知器６が発報してリレー接点ｌ１が閉じると、制御部１４に対する蓄積解除信号Ｅ６の信号ラインはＬレベルに引き込まれ、これにより蓄積タイマ４０の蓄積機能が解除され、直ちに移報リレーＬ２の作動でリレー接点ｌ２を閉じ、住棟用受信機７に対し発報移報信号を送ることができる。
【００７５】
即ち、住戸用受信機３のトランジタスＱ４、リレーＮ、切替リレー接点ｎによって、ＡＣ１００Ｖが断たれたときに中継器５に対する蓄積解除信号Ｅ６の信号状態を有効とする蓄積解除出力回路が構成される。それ以外の構成及び動作は、図２の第１実施形態と同じである。
図４は本発明による共同住宅火災報知システムの第３実施形態であり、この実施形態にあっては図２，図３の中継器５からの感知器回線に設けている火災感知器６の代わりに、スプリンクラー消火設備の流水検知装置に設けている圧力スイッチ４６を接続したことを特徴とする。
【００７６】
図４において、中継器５の受信部１２からの感知器回線には、スプリンクラー消火設備の給水管４１に設けている流水検知装置４２に対し設けられた流水検出を検知する圧力スイッチ４５が接続される。流水検知装置４２の二次側の給水管には閉鎖型スプリンクラーヘッド４４が接続され、定常監視状態で規定の管内圧力となる消火用水が充満している。
【００７７】
火災により閉鎖型スプリンクラーヘッド４４が作動して消火用水が噴出すると、流水検知装置４２の二次側の圧力低下に伴って弁開放が行われ、この弁開放に伴う流水を圧力スイッチ４５で検知する。圧力スイッチ４５には、流水検知装置４２の作動でａ側からｂ側に切り替わるリミットスイッチ４６が設けられている。中継器５からの感知器回線はリミットスイッチ４６のコモン側と切替え端子ｂ側に接続され、切替端子ａ，ｂ間に終端抵抗４７を接続している。
【００７８】
リミットスイッチ４６がａ側に閉じている流水検知装置４２の非作動状態にあっては、終端抵抗４７で決まる微弱な電流が受信部１２に流れている。閉鎖型スプリンクラーヘッド４４の作動で流水検知装置４２が動作して圧力スイッチ４５のリミットスイッチ４６がｂ側に切り替わると、終端抵抗４７をバイパスすることで短絡電流が受信部１２に流れ、流水検知装置４２の作動による受信出力が制御部１４に与えられる。これにより制御部１４は、受信リレーＬ１を作動してリレー接点ｌ１を閉じることになる。
【００７９】
このようにスプリンクラー消火設備の流水検知装置４２における圧力スイッチ４５を中継器５からの感知器回線に接続した場合には、住戸用受信機３に設けている蓄積タイマ１６による蓄積機能は不要となる。これはスプリンクラーヘッドが作動している状態というのは、火災がかなり拡大している状態であることから、直ちに住棟用受信機７に対し発報移報信号を送り、必要住戸に対し警報報知をしなければならないためである。
【００８０】
そこで、中継器５のリレー接点ｌ１の住戸用受信機３の切替リレー接点ｎに対する信号線端子と、住戸用受信機３からの蓄積出力信号Ｅ１の信号線端子を、ジャンパ線４８によってバイパス接続し、蓄積出力信号Ｅ１の有効状態を固定的に作り出す。
このジャンパ線４８によるバイパス接続により、リレー接点ｌ１が閉じると、住戸用受信機３側の動作と無関係に制御部１４に対する蓄積出力信号Ｅ１がＬレベルに引き込まれ、したがって制御部１４は移報リレーＬ２を作動してリレー接点ｌ２を閉じることで、直ちに住棟用受信機７に対し発報移報信号を送ることができる。これ以外の構成及び動作は、図２の実施形態と同じである。
【００８１】
また図３の実施形態にも、中継器５のリレー接点ｌ１の信号線端子と蓄積解除信号Ｅ６の信号線端子をジャンパ線４８によってバイパス接続することでも、同様に適用できる。
図５は本発明による共同住宅用火災報知システムの第４実施形態であり、中継器側で住戸用受信機の停電や断線等を検出することができ、更に蓄積機能を住戸用受信機と中継器に分散して設けるようにしたことを特徴とする。
【００８２】
図５の実施形態において、中継器５で住戸用受信機３での未入居、停電等による電源供給停止状態を検出できるようにするため、住戸用受信機３から中継器５に対し住戸からの電源供給状態で常時、有電圧信号を出力するように構成している。即ち、住戸用受信機３の制御部１５から中継器５の制御部１４に対し信号回線５０を引き出している。
【００８３】
信号回線５０の中継器５側にはフォトカプラ５２を接続し、信号回線５０の一方を電源電圧にプルアップし、通常時、有電圧信号Ｖｃを住戸用受信機３から中継器５に供給している。フォトカプラ５２は発光素子５４とフォトトランジスタ５６を備え、住戸用受信機３から正常に有電圧信号Ｖｃが供給されていれば発光素子５４が発光駆動され、フォトトランジスタ５６から制御部１４に対し受光入力が得られる。
【００８４】
有電圧信号Ｖｃを送る信号回線５０の一方のラインには、住戸用受信機３に設けた蓄積出力リレーＮのリレー接点ｎと、火災断定リレーＡのリレー接点ａが直列的に挿入接続されている。リレー接点ｎ，ａは共に常閉接点であり、蓄積出力または火災断定スイッチ１９のオン操作による火災断定出力が行われないときは図示のように閉じている。
【００８５】
制御部１５の蓄積出力による蓄積出力リレーＮの作動でリレー接点ｎが開くと、中継器５に対する有電圧信号Ｖｃが遮断される。同様にして、火災断定スイッチ１９の操作による火災断定リレーＡの作動でリレー接点ａが開いた場合にも、中継器５に対する有電圧信号Ｖｃが遮断される。更に中継器５に対する有電圧信号Ｖｃは、住戸用受信機３に対する住戸の共用電源ＡＣ１００Ｖが断たれる停電時等の電源供給停止状態でも遮断される。
【００８６】
このため、火災感知器６の発報受信がない定常監視状態で、停電によって住戸用受信機３からの有電圧信号Ｖｃが遮断してフォトカプラ５２からの入力が断たれると、中継器５の制御部１４はフォトカプラ５２からの入力が断たれることで住戸用受信機３側の停電を認識することができる。
次に住戸用受信機３から中継器５に有電圧信号を通常時、送出させている第４実施形態の動作を説明する。通常時、信号回線５０の蓄積出力用の常閉リレー接点ｎ及び火災断定用の常閉リレー接点ａは閉じており、住戸用受信機３からは中継器５へ有電圧信号Ｖｃが出力されている。中継器５の制御部１４では、この有電圧信号Ｖｃをフォトカプラ５２を介して入力し、監視している。
【００８７】
火災感知器６が発報すると、中継器５の制御部１４は、受信部１２からの発報受信に基づいてリレーＬ１を作動し、リレー接点ｌ１を閉じて電源電圧＋Ｖｃにプルアップされた信号線５８を接地接続してＬレベルに引き込み、これによって発報移報信号を住戸用受信機３に出力する。
住戸用受信機３の制御部１５は、中継器５から発報移報信号を受けると、蓄積タイマ１６をスタートさせ、タイムアップすると蓄積出力リレーＮを作動させる。蓄積出力リレーＮを作動させるとリレー接点ｎが開くので、中継器５に対する有電圧信号Ｖｃが遮断される。この有電圧信号Ｖｃの遮断を、中継器５の制御部１４はフォトカプラ５２からの入力がなくなることで認識し、且つ、火災感知器６の発報受信状態であることで蓄積終了と判断し、リレーＬ２を作動してリレー接点ｌ２を閉じ、住棟用受信機７へ発報移報信号を送信する。
【００８８】
また住戸用受信機３の蓄積タイマ１６の蓄積中に火災断定スイッチ１９が操作された場合には、制御部１５は蓄積タイマ１６の蓄積動作に関係なく火災断定リレーＡを作動させる。火災断定リレーＡの作動によりリレー接点ａが開くことで、中継器５に対する有電圧信号Ｖｃが遮断して停止する。この有電圧信号Ｖｃの遮断を、中継器の制御部１５は、フォトカプラ５２からの入力がなくなることで認識し、且つ火災感知器６の発報受信状態であることで、蓄積終了と判断し、リレーＬ２を作動してリレー接点ｌ２を閉じ、住棟用受信機７への発報移報信号を送信する。
【００８９】
更に住戸用受信機３に対する住戸からのＡＣ１００Ｖの電源供給が断たれている場合には、有電圧信号Ｖｃは遮断状態に置かれて出力されないことから、中継器５の制御部１４はフォトカプラ５２からの入力がなくなることで、住戸用受信機３に対するＡＣ１００Ｖの電源供給が断たれていることを判別できる。この状態で制御部１４が火災感知器６の発報を検出した場合は直ちにリレーＬ２を作動し、リレー接点ｌ２を閉じて発報移報信号を住棟用受信機７に送信する。
【００９０】
図５の実施形態にあっては、火災断定リレーＡと蓄積出力リレーＮを個別に設けて、それぞれのリレー接点ａ，ｎを、有電圧信号を送る信号回線５０に直列接続で挿入しているが、火災断定リレーＡと蓄積出力リレーＮを１つのリレーで共用化し、信号回線５０に１つのリレー接点を設けるだけでもよい。
この場合には、制御部１５におけるソフト処理により蓄積タイマ１６のタイムアップ時または火災断定スイッチ１９の操作時に、共通化したリレーを作動し、そのリレー接点を開いて有電圧信号の遮断による出力停止を行えばよい。
【００９１】
更に住戸用受信機３の制御部１５にあっては、有電圧信号Ｖｃを出力している信号回線５０を電圧または電流により常時あるいは定期的に監視することで、信号回線５０の断線をチェックすることができる。また制御部１５に対し中継器５から発報移報信号を送る信号回線５８についても、終端抵抗Ｒを中継器５側の端子に接続し、監視電流を流して電圧または電流による常時あるいは定期的に監視することで、同様に信号線５８の断線を監視するようにしてもよい。
【００９２】
信号回線５８の断線監視において、制御部１５が断線を検出した場合には、中継器５に対する信号回線５０の有電圧信号Ｖｃを遮断して、中継器５に断線による障害を知らせることができる。
このため中継器５は、火災感知器６が発報していない定常監視状態でフォトカプラ５２からの入力がなくなった場合には、住戸用受信機３におけるＡＣ１００Ｖの停電あるいは信号回線５０，５８の断線による障害の発生と判断し、この障害状態で火災感知器６が発報した場合には、直ちにリレーＬ２を作動してリレー接点ｌ２を閉じることで、住棟用受信機７に発報移報信号を送信する。
【００９３】
また図５の実施形態にあっては、住戸用受信機３の火災断定スイッチ１９を操作した場合に、既に中継器５で火災感知器６の発報が受信されている状態でなければ、住棟用受信機７には発報移報信号は送信されない。しかし、住民が火災を火災感知器６の発報よりも早く発見して火災断定スイッチ１９を操作する場合が考えられるので、火災断定スイッチ１９の操作を検出して一定時間保持し、この一定時間内に火災感知器６の発報があった場合にも、直ちに住棟用受信機７に発報移報信号を送信するようにしても良い。
【００９４】
この場合には、住戸用受信機３の制御部１５は、中継器５から火災感知器６の発報受信による発報移報信号を受信していない状態で、火災断定スイッチ１９の操作を検出すると、一定時間（例えば１分間）、この操作検出信号を保持する。この操作検出信号を保持している一定時間内に、中継器５から火災感知器６の発報受信による発報移報信号を受けると、蓄積動作に関係なく、火災断定リレーＡを作動し、リレー接点ａを開くことで、中継器５に対する有電圧信号Ｖｃを遮断する。
【００９５】
中継器５の制御部１４は、フォトカプラ５２からの入力がなくなることを検出すると共に、火災感知器６の発報受信状態であることで蓄積終了と判断し、住棟用受信機７へ発報移報信号を送信する。また、住戸用受信機３の制御部１５は、一定時間内に中継器５からの発報移報信号を受けない場合は、操作検出信号の保持を解除して通常監視状態とする。
【００９６】
また、火災断定スイッチ１９の操作による一定時間の保持を中継器５で行ってもよい。この場合、住戸用受信機３の制御部１５は、火災断定スイッチ１９の操作を検出すると、検出している短い時間、火災断定リレーＡを作動し、リレー接点ａを開くことで、中継器５に対する有電圧信号Ｖｃを遮断する。
中継器５の制御部１４は、フォトカプラ５２からの入力が短い時間なくなることを検出し、一定時間（例えば１分間）、この操作検出信号を保持し、この一定時間内に火災感知器６の発報を検出すると、住棟用受信機７へ発報移報信号を送信する。この場合も、一定時間内に火災感知器６の発報を検出できない場合は、操作検出信号の保持を解除して通常監視状態とする。
【００９７】
次に図５の実施形態において、中継器５側と住戸用受信機３側のそれぞれに蓄積処理機能を設けて蓄積処理を分散させた場合の実施形態を説明する。即ち、中継器５の制御部１４には第１蓄積時間Ｔ１を設定した第１蓄積タイマ６０が新たに設けられており、これに対し住戸用受信機３の制御部１５に既に設けられている蓄積タイマ１６は、第２蓄積時間Ｔ２を設定した第２蓄積タイマとしての機能をもつ。
【００９８】
中継器５の制御部１４に設けた第１蓄積タイマ６０の第１蓄積時間Ｔ１は例えばＴ１＝６０秒とし、住戸用受信機３の制御部１５に設けた第２蓄積タイマ１６の第２蓄積時間は例えばＴ２＝１〜４分とする。即ち第１蓄積タイマ６０の蓄積時間Ｔ１は、第２蓄積タイマ１６の蓄積時間Ｔ２に対し十分短く設定される。
図６のフローチャートは、制御部１４に第１蓄積タイマ６０を設けた中継器５の制御処理のフローチャートである。ステップＳ１で、火災感知器６の発報による発報受信を監視しており、発報受信を判別するとステップＳ２に進み、住戸用受信機３からの有電圧信号の有無による住戸用受信機３の異常、即ち住戸用受信機３の停電または断線等の障害をチェックする。
【００９９】
ここでフォトカプラ５２を介して住戸用受信機３より正常に有電圧信号Ｖｃが得られている場合には、ステップＳ３に進み、第１蓄積タイマ６０を起動する。第１蓄積タイマの蓄積時間Ｔ１は例えばＴ１＝６０秒であり、ステップＳ４で蓄積時間Ｔ１の経過をチェックし、タイムアップするとステップＳ５に進み、住戸用受信機３に対しリレーＬ１の作動によるリレー接点ｌ１の閉成により発報移報信号を送出する。
【０１００】
このため住戸用受信機３の第２蓄積タイマ１６は、火災感知器６の発報受信から蓄積時間Ｔ１後に発報移報信号を受けて蓄積動作を開始する。第２蓄積タイマ１６が蓄積時間Ｔ２でタイムアップすると、蓄積出力リレーＮを作動してリレー接点ｎを開くことによって有電圧信号Ｖｃを遮断する。
中継器５の制御部１４は、有電圧信号Ｖｃの遮断によりフォトカプラ５２の入力がなくなることで、ステップＳ６で蓄積出力があったことを判断し、ステップＳ７でリレーＬ２を作動してリレー接点ｌ２を閉じ、住棟用受信機７に対し発報移報信号を送出する。ここでステップＳ４の第１蓄積タイマ６０の蓄積時間Ｔ１に亘る蓄積動作中に火災感知器６の発報受信がなくなると、その時点で第１蓄積タイマ６０はリセットされ、蓄積解除により定常監視状態に戻る。
【０１０１】
またステップＳ２で住戸用受信機３の障害が検出された場合には、蓄積処理を行わず、ステツプＳ７へ進み、住棟用受信機７に対し発報移報信号を送出する。
このような図６の中継器５における第１蓄積タイマ６０の蓄積機能を用いた処理により、火災感知器６の誤発報があっても、中継器５に設けた第１蓄積タイマ６０の蓄積処理により住戸用受信機３に対する発報移報信号の送出は行われず、住戸用受信機３で誤警報が出されてしまうことを確実に防止できる。
【０１０２】
図７のフローチャートは、図５の実施形態において中継器５に第１蓄積タイマ６０を設け、住戸用受信機３に第２蓄積タイマ１６を設けた場合の他の実施形態であり、住戸用受信機３の停電や断線による障害状態で火災感知器６が誤発報した場合に、住棟用受信機７に対する発報移報信号の送出で誤警報が出されてしまうのを防止するようにしたことを特徴とする。
【０１０３】
この図７の蓄積処理のため、例えば中継器５の制御部１４の第１蓄積タイマ６０の第１蓄積時間Ｔ１は例えばＴ１＝６０秒とし、これに対し住戸用受信機３に設けた制御部１５の第２蓄積タイマ１６の蓄積時間Ｔ２は例えばＴ２＝２〜５分とする。このように第１蓄積タイマ６０の蓄積時間Ｔ１を第２蓄積タイマ１６の蓄積時間Ｔ２に比べ十分短く設定した点は、図６の蓄積処理の場合と同じである。
【０１０４】
図７の蓄積処理にあっては、ステップＳ１で火災感知器６の発報を受信した場合、ステップＳ２で、図６の場合と同様、住戸用受信機３の停電または断線等の障害を有電圧信号Ｖｃによりチェックし、有電圧信号が正常に得られていればステップＳ３に進み、蓄積処理を行わず直ちに住戸用受信機３に対し発報移報信号を送出し、住戸用受信機３側の第２蓄積タイマ１６を起動する。
【０１０５】
そして第２蓄積タイマ１６が、蓄積時間Ｔ２に亘る蓄積処理を終了すると、蓄積出力リレーＮの作動によりリレー接点ｎが開かれて、有電圧信号Ｖｃが遮断されると、中継器５の制御部１４はステップＳ４で有電圧信号Ｖｃが遮断から蓄積出力ありを判別し、ステップＳ５でリレーＬ２の作動によりリレー接点ｌ２を閉じ、住棟用受信機７に対し発報移報信号を送出する。
【０１０６】
このような蓄積処理は、図２の第１実施形態と基本的に同じである。これに対し図７の蓄積処理にあっては、住戸用受信機３側で停電や断線等の障害が起き、ステップＳ２で住戸用受信機３からの有電圧信号Ｖｃの遮断を認識すると、ステップＳ６に進み、第１蓄積タイマ６０を起動する。そして蓄積時間Ｔ１に亘って継続的に発報受信が得られてステップＳ７でタイムアップしたならば、ステップＳ５に進み、リレーＬ２を作動してリレー接点ｌ２を閉じることにより、住棟用受信機７に対し発報移報信号を送出する。
【０１０７】
このため住戸用受信機３側の障害により有電圧信号Ｖｃが遮断された状態で火災感知器６が誤発報しても、第１蓄積タイマ６０による蓄積後に住棟用受信機７に対する発報移報信号の送出が行われ、火災感知器６の誤発報に対し誤って発報移報信号が住棟用受信機７に送出されてしまうことがなく、住棟用受信機７の誤警報を確実に防止することができる。
【０１０８】
ここで図５の第４実施形態にあっては、住戸用受信機３から有電圧信号Ｖｃを中継器５に常時送っている信号回線５０に蓄積出力用のリレー接点ｎと火災断定用のリレー接点ａを直列に挿入しているが、リレー接点ｎとリレー接点ａごとに有電圧信号用の信号回線を別々に設けるようにしてもよい。
即ち図５の実施形態にあっては、火災感知器６が発報していない定常監視状態で、信号回線５０の有電圧信号Ｖｃが遮断された場合、住戸用受信機３側のＡＣ１００Ｖの停電と判断している。このため火災感知器６が発報する前に火災断定スイッチ１９を操作してリレー接点ａを開き、有電圧信号Ｖｃを遮断しても、中継器５の制御部１４は火災断定出力とは判断せず、住戸用受信機３の停電と判断してしまう。
【０１０９】
このため図５の実施形態にあっては、火災感知器６が発報している時にのみ火災断定スイッチ１９による火災断定出力が有効となる。そこで火災断定リレーＡのリレー接点ａを専用の有電圧電圧信号の信号回線に設けることで、火災感知器６の発報状態の如何に関わらず、火災断定スイッチ１９の操作による火災断定リレーＡの作動でリレー接点ａを開いて有電圧信号を遮断し、これによって中継器５の制御部１４に火災断定出力を判断させ、強制的に住棟用受信機７に対し発報移報信号を送出できるようにしてもよい。
【０１１０】
尚、上記の実施形態にあっては、住戸の中継器５と住棟用受信機７との間の回線により階別などの場所を判別しているが、各住戸、例えば中継器に固有にアドレスを設定して発報移報信号を住戸アドレスと共に伝送路によって住棟用受信機７に送ることで、住棟用受信機７において出火住戸を特定することもできる。また、出火住戸を特定することで、例えば「３階３０１号室で火災が発生しました。」のように、きめ細かな音声警報を行うことができる。
【０１１１】
また図２、図３の実施形態にあっては、住戸用受信機３において中継器５から発報移報信号を受信した際に直ちに警報表示及び音声警報を行っているが、少なくとも音声メッセージ警報については、発報移報信号の受信後、所定時間例えば３０秒経過してから出力するようにしてもよい。
このように音声警報を遅延させることで、もし火災感知器６が誤って発報した場合であっても３０秒間は音声メッセージ警報が行われないため、この間に火災感知器６が復旧すれば、音声メッセージ警報に従って住戸の居住者に復旧処理を行わせる等の必要がなく、不要な混乱を未然に防止できる。
【０１１２】
更に上記の実施形態にあっては、火災感知器６として自己復旧型の火災感知器を使用したが、発報時に発報状態を保持する自己保持型の火災感知器を使用してもよい。この自己保持型の火災感知器６を図２の第１実施形態で使用した場合には、中継器５は火災感知器６からの発報信号を受信して住戸用受信機３に対し発報移報信号を出力すると共に、火災感知器６に対する電源供給を一旦遮断して復旧し、この電源復旧後に再び発報信号を受信したら、同様にして発報移報信号を住戸用受信機３に出力する。
【０１１３】
住戸用受信機３にあっては、中継器５からの最初の発報移報信号を受けると、蓄積タイマ１６による蓄積処理を開始し、蓄積中に再度発報移報信号を受けると蓄積処理を終了して火災と判断し、中継器５に対し蓄積出力信号Ｅ１を出力するようにすればよい。
また図３の第２実施形態について自己保持型の火災感知器６を使用した場合には、中継器５において火災感知器６の発報信号を受信したら住戸用受信機３に発報移報信号を出力して蓄積タイマ４０による蓄積処理を開始し、次に火災感知器６への電源供給を一旦遮断しして復旧する。この電源復旧後、蓄積中に再び発報信号を受信したならば蓄積終了と判断し、住棟用受信機７に対し発報移報信号を送るようにすればよい。
【０１１４】
更に、上記の実施形態にあっては、中継器５は独立に設けてあったが、ドアホン子器４や住戸用受信機３の筐体内に収納されても良い。
【０１１５】
【発明の効果】
以上説明してきたように本発明によれば、各住戸の火災感知器及び中継器を住棟用受信機からの電源供給により動作するようにしたため、住戸が空き等となっていることで住戸用受信機への電源供給が断たれていても、その住戸の火災を確実に監視することができる。
【０１１６】
また火災感知器が誤って発報しても住棟用受信機に対し直ちに発報移報信号が送られずに住戸側で蓄積処理が行われ、蓄積中に火災感知器が復旧するかあるいは復旧スイッチが操作されると、蓄積処理がリセットされることで住棟用受信機に対する発報移報信号の送出は行われず、火災感知器の誤発報で住棟用受信機からの制御により周辺住戸での警報が行われることを防止し、誤報による混乱をなくすことができる。
【０１１７】
また住戸用受信機から中継器へ有電圧信号を送ることにより、有電圧信号の遮断から中継器側で住戸用受信機の停電や断線等の障害を確実に検出することができる。
また中継器に第１蓄積処理部を設け、住戸用受信機に第２蓄積処理部を設け、火災感知器が誤って発報しても中継器で第１段階の蓄積を行うようにしたため、住戸用受信機での誤報を未然に防止できる。
【０１１８】
更に、住戸用受信機に停電や断線等の障害があった場合、火災感知器の発報受信に対し中継器で蓄積を行った後に、住棟用受信機に発報移報信号を送るようにしたため、火災感知器に誤発報があっても、住棟用受信機から誤警報が出されてしまうことを確実に防止できる。
【図面の簡単な説明】
【図１】本発明のシステム構成図
【図２】住戸用受信機に蓄積タイマを設けた本発明の第１実施形態の回路ブロック図
【図３】中継器に蓄積タイマを設けた本発明の第２実施形態の回路ブロック図
【図４】火災感知器に代えてスプリンクラー消火設備の流水検出用の圧力スイッチを接続した本発明の第３実施形態の回路ブロック図
【図５】住戸用受信機から中継器に有電圧信号を送り、各々に蓄積タイマを設けた本発明の第４実施形態の回路ブロック図
【図６】図５で中継器と住戸用受信機に蓄積タイマを設けた場合の蓄積処理のフローチャート
【図７】図５で中継器と住戸用受信機に蓄積タイマを設けた場合の他の蓄積処理のフローチャート
【符号の説明】
１Ａ，１Ｂ：住戸
２：インターホン親器
３：住戸用受信機（住宅情報盤）
４：ドアホン子器
５：中継器
６：火災感知器
７：住棟用受信機
８：総合盤
９：火報用電源兼用信号回線
１０：制御用信号回線
１１：音声警報用信号回線
１２：，３２：受信部
１４，１５，３３：制御部
１６，４０：蓄積タイマ
１７，２６：火災灯
１８：復旧スイッチ
１９：火災断定スイッチ
２０，３４：音声合成部
２１：アンプ
２２，３２，３９：トランス
２３，３０，３８：スピーカ
２４，３７：電源部
２５：表示回路
３６：マトリクス回路
４２：流水検知装置
４４：閉鎖型スプリンクラーヘッド
４５：圧力スイッチ
５０：信号回線
６０：第１蓄積タイマ
Ｌ１：受信リレー
Ｌ２：移報リレー
Ａ：火災断定リレー
Ｂ：復旧リレー
Ｍ：スピーカ切替リレー
Ｎ：蓄積出力リレー
Ｋ：音声入力切替リレー
【図１】
0003757003.tif 000002
【図２】
0003757003.tif 000003
【図３】
0003757003.tif 000004
【図４】
0003757003.tif 000005
【図５】
0003757003.tif 000006
【図６】
0003757003.tif 000007
【図７】
0003757003.tif 000008